(57)【要約】【課題】薄型化及び狭額縁化を図りつつ、表示パネルの表示面における光漏れを抑制することができる表示装置及びテレビジョン受信機を提供する。【解決手段】光学シート群２２に一体形成されている延出シート群２０，２０，…が、光学シート群２２の下辺部から延出している。ＬＥＤ２５，２５，…から放射された光の内、導光板２３の内部に入射しなかった光が、延出シート群２０，２０，…を透過してから、表示パネル２１の内部に無用に入射することがある。ただし、延出シート群２０，２０，…を透過してから表示パネル２１の内部に入射する光は、延出シート群２０，２０，…を透過しないで表示パネル２１の内部に入射する光に比べて、弱い。このため、表示面２１１の下部において光漏れが生じたとしても、この部分の明るさは、他の部分の明るさと大差ない程度に抑えられる。つまり、光漏れが抑制される。【選択図】図３
2013156370.tif 000002
【特許請求の範囲】
【請求項１】
正面側に表示面を有する表示パネルと、
該表示パネルの背面側に配置してあり、透光性を有する光学シートと、
該光学シートの背面側に配置してあり、一側端面から内部に入射した光を正面から出射する導光板と、
前記一側端面に対向配置してある光源と、
該光源が実装されている非透光性の基板と
を備える表示装置において、
前記表示パネルの背面における前記光源の側の周縁部と前記基板との間に空間を有しており、
前記光学シートに一体に設けられており、前記光学シートから前記空間を貫いて前記光源の側へ延出している延出シートを備えることを特徴とする表示装置。
【請求項２】
前記表示面の周縁部を囲繞するキャビネットと、
該キャビネットから前記導光板まで前記空間を貫いて突出しており、前記光源の側の周縁部の周縁方向に沿って並設されている複数個の遮光凸部と
を更に備え、
前記延出シートは、隣り合う前記遮光凸部同士の間に配されていることを特徴とする請求項１に記載の表示装置。
【請求項３】
前記延出シートに遮光部が設けられていることを特徴とする請求項１又は２に記載の表示装置。
【請求項４】
前記延出シートは、前記光源よりも前記基板の側に延出していることを特徴とする請求項１から３の何れかひとつに記載の表示装置。
【請求項５】
請求項１から４の何れかひとつに記載の表示装置と、
テレビジョン放送を受信する受信部と
を備え、
該受信部にて受信したテレビジョン放送に基づいて、前記表示装置に映像を表示するようにしてあることを特徴とするテレビジョン受信機。
【発明の詳細な説明】
【技術分野】
【０００１】
本発明は、光源から放射された光によって表示パネルが照明される表示装置、及び、この表示装置を備えるテレビジョン受信機に関する。
【背景技術】
【０００２】
液晶表示装置は、液晶表示パネルとバックライトとを備えている。バックライトは、液晶表示パネルの背面側から液晶表示パネルを照明する。
エッジライト方式のバックライトは、液晶表示パネルの背面側に、光学シート群を介して導光板を配置し、導光板の一側端面（例えば下側端面）に、ＬＥＤを対向配置してなる（特許文献１参照）。
ＬＥＤから放射された光は、導光板によって液晶表示パネルの背面側へ導かれ、光学シート群による拡散及び集光等を経て、液晶表示パネルの内部に入射する。この結果、液晶表示パネルの表示面が均一に明るくなる。
【０００３】
導光板の一側方（例えば下側方）には、プリント基板が配されている。プリント基板と液晶表示パネルとの間には、ＳＯＦ（System On Film）が介在している。
液晶表示パネル、バックライト、プリント基板、及びＳＯＦは、前キャビネットと後キャビネットとを用いてなる筐体に収容されている。
【先行技術文献】
【特許文献】
【０００４】
【特許文献１】特開２００１−１１７０９７号公報
【発明の概要】
【発明が解決しようとする課題】
【０００５】
ＬＥＤから放射された光が、導光板及び光学シート群を介さずに液晶表示パネルの内部に入射した場合、表示面の一部分が他部分よりも無用に明るくなる現象（以下、光漏れという）が生じる。この結果、表示面に表示されている映像の画質が劣化する。
光漏れの原因は、液晶表示パネルの背面の周縁部が光学シート群に被覆されていないこと、及び、ＬＥＤと液晶表示パネルとの間に、光が通過し得る空間（以下、漏光空間という）が存在すること等である。このため、ＬＥＤから放射された光の一部が漏光空間を通り、直接的に、又は前キャビネットの内面及び導光板の正面等で反射することによって、液晶表示パネルの背面の周縁部、又は表示パネルの端面から、液晶表示パネルの内部に入射する。
【０００６】
特許文献１に記載の液晶表示装置は、ＬＥＤから放射された光を導光板側へ反射する反射板と、両面粘着シート状の遮光部材とを更に備える。反射板の端縁は、遮光部材によって、導光板の端縁に固定されている。反射板及び遮光部材は、漏光空間を閉鎖している。このため、導光板の内部に入射しなかった光は、反射板にて反射するか、又は、遮光部材にて反射若しくは吸収等される。
また、従来の他の液晶表示装置には、液晶表示パネルが取り付けられるパネルシャーシを更に備え、光学シート群、導光板、及びＬＥＤをパネルシャーシで覆う構成のものがある。パネルシャーシは、漏光空間を閉鎖している。このため、ＬＥＤから放射された光は、導光板の内部及び光学シート群を介さない限り、液晶表示パネルの内部に入射することができない。
【０００７】
ところで、近年、表示装置の薄型化及び狭額縁化を図るべく部品点数が削減されている。しかしながら、特許文献１に記載の液晶表示装置から反射板若しくは遮光部材を削減した場合、又は、従来の他の液晶表示装置からパネルシャーシを削減した場合、光漏れを抑制することができない。
【０００８】
本発明は斯かる事情に鑑みてなされたものであり、その主たる目的は、薄型化及び狭額縁化を図りつつ、表示パネルの表示面における光漏れを抑制することができる表示装置及びテレビジョン受信機を提供することにある。
【課題を解決するための手段】
【０００９】
本発明に係る表示装置は、正面側に表示面を有する表示パネルと、該表示パネルの背面側に配置してあり、透光性を有する光学シートと、該光学シートの背面側に配置してあり、一側端面から内部に入射した光を正面から出射する導光板と、前記一側端面に対向配置してある光源と、該光源が実装されている非透光性の基板とを備える表示装置において、前記表示パネルの背面における前記光源の側の周縁部と前記基板との間に空間を有しており、前記光学シートに一体に設けられており、前記光学シートから前記空間を貫いて前記光源の側へ延出している延出シートを備えることを特徴とする。
【００１０】
本発明に係る表示装置は、前記表示面の周縁部を囲繞するキャビネットと、該キャビネットから前記導光板まで前記空間を貫いて突出しており、前記光源の側の周縁部の周縁方向に沿って並設されている複数個の遮光凸部とを更に備え、前記延出シートは、隣り合う前記遮光凸部同士の間に配されていることを特徴とする。
【００１１】
本発明に係る表示装置は、前記延出シートに遮光部が設けられていることを特徴とする。
【００１２】
本発明に係る表示装置は、前記延出シートは、前記光源よりも前記基板の側に延出していることを特徴とする。
【００１３】
本発明に係るテレビジョン受信機は、本発明に係る表示装置と、テレビジョン放送を受信する受信部とを備え、該受信部にて受信したテレビジョン放送に基づいて、前記表示装置に映像を表示するようにしてあることを特徴とする。
【００１４】
本発明にあっては、表示装置は、表示パネル、光学シート、導光板、光源、基板、及び延出シートを備える。延出シートは光学シートに一体に設けられている。
光源は、導光板の一側端面に対向配置されている。このため、光源から放射された光の一部は、導光板の一側端面から導光板の内部に入射し、導光板の正面から出射されることによって、光学シートの背面側へ導かれる。光学シートの背面側へ導かれた光は、光学シートの背面から光学シートの内部に入射し、光学シートの正面から出射される。光学シートの正面から出射された光は、表示パネルの背面から表示パネルの内部に入射し、表示パネルの正面から出射される。この結果、表示パネルの表示面が明るくなる。
【００１５】
表示装置は、表示パネルの背面の周縁部の内、光源側の周縁部（以下、光源側周縁部という）と基板との間に、空間を有する。このため、光源から放射された光の他の一部が、この空間を通過した場合、光漏れが生じ得る。何故ならば、この空間を通過した光は、導光板及び光学シートを介さずに表示パネルの内部に入射し得るからである。以下では、この空間を漏光空間という。
【００１６】
ところが、本発明においては、延出シートが、光学シートから漏光空間を貫いて光源側へ延出している。延出シートは、光学シートと同様の透光性を有する。とはいえ、延出シートを透過した光は、延出シートを透過していない光よりも弱まる。このため、延出シートを透過した光が表示パネルの内部に入射したとしても、延出シートを透過していない光が表示パネルの内部に入射した場合に比べて、光漏れが抑制される。
基板は非透光性であるため、基板を透過した光が表示パネルの内部に入射する虞はない。
【００１７】
本発明にあっては、表示装置は、キャビネット及び複数個の遮光凸部を更に備える。
このキャビネットは、例えば前キャビネットであり、表示パネルの表示面の周縁部を囲繞する。
各遮光凸部は、キャビネットから導光板まで突出している。また、各遮光凸部は、漏光空間を貫いている。従って、各遮光凸部が設けられている部分に関しては、漏光空間が閉鎖されるため、光漏れが抑制される。
【００１８】
複数個の遮光凸部は、光源側周縁部の周縁方向に沿って並設されている。このため、遮光凸部間（即ち、隣り合う遮光凸部同士の間）に他の部材（例えばＳＯＦ）を配することが可能である。
遮光凸部間は、漏光空間として機能し得るが、遮光凸部間には延出シートが配されているため、光漏れが抑制される。
遮光凸部が閉鎖している漏光空間に、延出シートを配する必要はない。故に、延出シートを有する光学シートは、遮光凸部の配置位置に対応する部分が欠けたような櫛歯状をなしていればよい。即ち、遮光凸部が存在しない場合よりも、延出シートを有する光学シートの面積を小さくすることができる。
【００１９】
本発明にあっては、延出シートに遮光部が設けられている。
遮光部は、延出シートを透過しようとする光を遮断する。このため、延出シートは遮光シートとして機能する。この結果、光漏れが更に確実に抑制される。このような遮光部は、例えば延出シートに塗布された吸光塗料、又は延出シートに貼付された反射シート等を用いてなる。
【００２０】
本発明にあっては、延出シートは、光源よりも基板側に延出している。例えば光源が、導光板の下側端面に対向配置されているならば、延出シートは、光源よりも下側に延出している。このため、光源から放射された光の他の一部が、反射又は回折等によって延出シートを迂回して、漏光空間を通過することが困難になる。従って、光漏れが更に確実に抑制される。
【００２１】
本発明にあっては、テレビジョン受信機は、本発明に係る表示装置と受信部とを備える。
本発明に係る表示装置においては、光漏れが抑制されている。従って、受信部にて受信したテレビジョン放送に基づく映像を表示する場合に、表示された映像の画質が、光漏れによって劣化することが抑制される。
【発明の効果】
【００２２】
本発明の表示装置及びテレビジョン受信機による場合、従来の液晶表示装置が備えているような反射板及び遮光部材、又はパネルシャーシ等を備えていない構成であっても、光漏れを抑制することができる。何故ならば、表示パネルの内部に入射しようとする無用な光を、延出シートが弱めるからである。
延出シートは、従来の反射板及び遮光部材、又はパネルシャーシ等に比べて軽量、小型、又は薄型の部材として構成することができるため、表示装置及びテレビジョン受信機の薄型化及び狭額縁化を阻害することはない。しかも、延出シートは光学シートに一体に設けられているため、部品点数が増大することがない。
【図面の簡単な説明】
【００２３】
【図１】本発明の実施の形態１に係るテレビジョン受信機の外観を示す斜視図である。
【図２】本発明の実施の形態１に係る表示装置の構成を模式的に示す凸部突設位置の縦断面図である。
【図３】本発明の実施の形態１に係る表示装置の構成を模式的に示す凸部非突設位置の縦断面図である。
【図４】本発明の実施の形態１に係る表示装置が備える前キャビネットの一部分の構成を示す拡大背面図である。
【図５】本発明の実施の形態１に係る表示装置が備える前キャビネットの一部分の構成を示す拡大斜視図である。
【図６】本発明の実施の形態１に係る表示装置が備える前キャビネットにパネルユニットを取り付けた状態を示す拡大背面図である。
【図７】本発明の実施の形態１に係る表示装置が備える前キャビネットにパネルユニットを取り付けた状態を示す拡大斜視図である。
【図８】本発明の実施の形態１に係る表示装置が備える前キャビネットに対するＬＥＤユニットの取り付けを説明するための拡大斜視図である。
【図９】本発明の実施の形態１に係る表示装置が備える延出シート群の作用効果を説明するための凸部突設位置の縦断面図である。
【図１０】本発明の実施の形態１に係る表示装置が備える延出シート群の作用効果を説明するための凸部非突設位置の縦断面図である。
【図１１】本発明の実施の形態２に係る表示装置が備える延出シート群の構成を説明するための縦断面図である。
【発明を実施するための形態】
【００２４】
以下、本発明を、その実施の形態を示す図面に基づいて詳述する。
【００２５】
実施の形態  １．
図１は、本発明の実施の形態１に係るテレビジョン受信機１の外観を示す斜視図である。
図２及び図３は、本発明の実施の形態１に係る表示装置１０の構成を模式的に示す縦断面図である。ただし、図２は、各後述する遮光凸部３４が突設されている位置（即ち凸部突設位置）における断面を示し、図３は、遮光凸部３４が突設されていない位置（即ち凸部非突設位置）における断面を示している。また、図２及び図３は、各後述する受信部１１、信号処理部１２、及び後キャビネット３２等の図示を省略してある。図２及び図３に示す矢符は、光の方向を表わしている。
【００２６】
以下では、図２及び図３の左側及び右側を、表示装置１０（延いてはテレビジョン受信機１）の前側及び後側、又は正面側及び背面側という。また、図２及び図３の紙面垂直方向は、表示装置１０の左右方向である。以下では、図２及び図３の紙面垂直方向の手前側及び奥側を、表示装置１０の左側及び右側という。
図４及び図５は、前キャビネット３１（後述）の一部分の構成を示す拡大背面図及び拡大斜視図である。具体的には、図４及び図５には、前キャビネット３１の左下角部が示されている。
【００２７】
図６及び図７は、前キャビネット３１にパネルユニット（後述）を取り付けた状態を示す拡大背面図及び拡大斜視図である。図６及び図７には、図４及び図５に示す前キャビネット３１にパネルユニットが取り付けられた状態が示されている。
図８は、前キャビネット３１に対するＬＥＤユニット（後述）の取り付けを説明するための拡大斜視図である。図８には、パネルユニットが取り付けられている前キャビネット３１（図６及び図７参照）とＬＥＤユニットとが示されている。
【００２８】
まず、図１を参照しつつ、テレビジョン受信機１の構成を説明する。
テレビジョン受信機１は、表示装置１０、受信部１１、信号処理部１２、及びスタンド１３を備えている。
表示装置１０は、矩形状の表示パネル２１と、筐体１００とを備えている。筐体１００の前部（及び後部）は、矩形枠状の前キャビネット３１（及び矩形トレイ状の後キャビネット３２）を用いてなる。
受信部１１及び信号処理部１２は、筐体１００に内蔵されている。なお、受信部１１及び信号処理部１２は、表示装置１０に外付けされていてもよい。
【００２９】
表示装置１０は、受信部１１が受信したテレビジョン放送に基づく映像を表示する。このために、受信部１１は、図示しないアンテナを介して、外部からテレビジョン放送を受信し、受信したテレビジョン放送から放送信号を取り出す。信号処理部１２は、受信部１１が取り出した放送信号に所定の信号処理を施すことによって、映像データを出力する。
表示パネル２１は、正面側に表示面２１１を有する。そして、表示パネル２１は、信号処理部１２が出力した映像データに基づく映像を、表示面２１１に表示する。
スタンド１３は、表示装置１０の下部に設けられており、縦姿勢の表示装置１０を支持する。
【００３０】
前キャビネット３１はアルミニウムを用いて押出成形してなり、その中央部に矩形状の開口３１ａを有する。
後キャビネット３２は、例えば電気亜鉛めっき鋼板からなる。
前キャビネット３１及び後キャビネット３２の上下及び左右寸法は略同じであり、互いの周縁部分が対向している。
【００３１】
表示パネル２１は、液晶表示パネルを用いてなる。表示パネル２１は、表示面２１１の中央部に位置する有効表示領域が開口３１ａから露出するように、縦姿勢で筐体１００に収容されている。表示パネル２１の縦横（即ち上下方向及び左右方向）の寸法は、開口３１ａの縦横の寸法よりも若干大きい。故に、前キャビネット３１は、表示パネル２１の表示面２１１の周縁部を囲繞している。
前キャビネット３１は、本発明の実施の形態におけるキャビネットとして機能する。
【００３２】
次に、表示装置１０の構成を詳述する。以下では、主に前キャビネット３１の周縁部の内、下辺部（以下、周縁下辺部という）の近傍の構成について説明する。
まず、図２〜図５を参照しつつ、前キャビネット３１の構成を更に説明する。
前キャビネット３１は、前枠部３１１及び突出枠部３１２を備えている。
前枠部３１１は、中央部に開口３１ａが形成された矩形板状になしてあり、前枠部３１１の正面は露出している（即ち外面である）。
【００３３】
前枠部３１１の背面（即ち前枠部３１１の内面）における開口３１ａの開口縁部（即ち前枠部３１１の内縁部分）には、表示パネル２１の損傷を抑制するための弾性部材３３が、前枠部３１１の周縁方向に沿って連続的又は断続的に配置してある。ただし、図４及び図５における弾性部材３３の図示は省略してある。
【００３４】
前枠部３１１の内面の上下方向中央部分には、前枠部３１１の周縁下辺部の周縁方向（具体的には左右方向）に並設された複数個の遮光凸部３４，３４，…と、長手方向が左右方向に沿う位置決め溝３５とが備えられている。遮光凸部３４，３４，…は、弾性部材３３よりも下側に位置し、位置決め溝３５は遮光凸部３４，３４，…よりも更に下側に位置している。
位置決め溝３５は、後述するヒートシンク４２の位置決めに用いられる。
【００３５】
各遮光凸部３４は、前枠部３１１の内面から後方向へ、即ち前キャビネット３１から後述する導光板２３側へ、後述する空間Ｓを貫いて突出している。各遮光凸部３４の横断面形状は矩形状である。
突出枠部３１２は、前枠部３１１の外縁部分から後側へ突出している。
ここで、前キャビネット３１の製造について説明する。まず、前枠部３１１、突出枠部３１２、遮光凸部３４，３４，…となすべき凸条部、及び位置決め溝３５が、押出成形によって、一体に形成される。次いで、形成された凸条部を部分的に切削し、複数個に分割することによって、遮光凸部３４，３４，…が形成される。この結果、前キャビネット３１が製造される。
【００３６】
次に、図２、図３、図６、及び図７を参照しつつ、パネルユニットの構成を説明する。ここでは、表示パネル２１と、各後述する延出シート群２０，２０，…、光学シート群２２、ＳＯＦ２７，２７，…、及びプリント基板２８，２８，…とのひとまとまりをパネルユニットという。
各プリント基板２８は、横長の矩形板状になしてある。
【００３７】
表示パネル２１は、後述するエッジライト方式のバックライトによって、表示パネル２１の背面２１２側から照明される。表示パネル２１は表示面２１１側のガラス板と背面２１２側のガラス板とを有する。２枚のガラス板の間には液晶が配されており、液晶に印加された電圧に応じて、表示パネル２１の透過率が変化する。従って、バックライトからの光は、表示パネル２１を透過するか、又は、表示パネル２１の通過を遮断される。この結果、表示面２１１に映像が表示される。
【００３８】
バックライトは、光学シート群２２、導光板２３、反射シート２４、ＬＥＤ２５，２５，…、及びＬＥＤ基板２６を用いて構成される。これらの内、光学シート群２２については次に説明し、これ以外については更に後で述べる。
【００３９】
光学シート群２２は、矩形状をなしており、表示パネル２１の背面２１２の中央部に密着配置されている。光学シート群２２の縦横の寸法は、表示パネル２１の背面２１２の縦横の寸法よりも小さい。このため、光学シート群２２は、表示パネル２１の周縁部を被覆していない。ただし、光学シート群２２の縦横の寸法は、表示パネル２１の有効表示領域の縦横の寸法より大きい。つまり、光学シート群２２は、表示パネル２１の有効表示領域を、背面２１２側から覆っている。
【００４０】
次に、延出シート群２０，２０，…について述べる。
延出シート群２０，２０，…は、光学シート群２２の下辺部から櫛歯状に延出している。隣り合う延出シート群２０，２０間の離隔距離は、遮光凸部３４の左右方向の長さに等しい。各延出シート群２０の延出長さについては後述する。
各延出シート群２０，２０，…は、光学シート群２２に一体に設けられている。このような延出シート群２０，２０，…及び光学シート群２２は、例えば、光の拡散機能を有する光学シート及び集光機能を有する光学シート等、複数枚の光学シートが積層されてなるシート部材を、所定の形状に切り出すことによって形成される。
【００４１】
なお、表示装置１０は、延出シート群２０，２０，…及び光学シート群２２に替えて、例えば、光の拡散機能及び集光機能等、複数種類の機能を有する１枚のシート部材を所定の形状に切り出すことによって形成された延出シート及び光学シートを備えていてもよい。
【００４２】
複数枚のＳＯＦ２７，２７，…は、表示パネル２１の下辺部２１ａに沿って（具体的には左右方向に）並置されている。各ＳＯＦ２７は、ドライバＬＳＩ２７１と、その背面にドライバＬＳＩ２７１が実装されているフレキシブル基板２７２とを備えている。
各フレキシブル基板２７２は、表示パネル２１の下辺部２１ａから垂下している。このとき、各フレキシブル基板２７２は、延出シート群２０より前側に、且つ、延出シート群２０に対面するように、配置されている。また、フレキシブル基板２７２に形成されている配線（不図示）は、フレキシブル基板２７２の上端部側で、表示パネル２１に電気的に接続されている。
【００４３】
フレキシブル基板２７２の下端部は後側へ折り曲げられており、フレキシブル基板２７２に形成されている配線は、フレキシブル基板２７２の下端部側で、複数枚のプリント基板２８，２８，…の内、何れかひとつのプリント基板２８に接続されている。
ドライバＬＳＩ２７１は、表示パネル２１の駆動回路である。具体的には、ドライバＬＳＩ２７１は、信号処理部１２が出力した映像データに基づいて、適宜の電圧を表示パネル２１の液晶に印加する。この結果、表示パネル２１の透過率が変化する。
【００４４】
パネルユニットは、表示パネル２１の表示面２１１の周縁部が弾性部材３３に接触するようにして、前キャビネット３１に後方から取り付けられる。
このとき、表示パネル２１の下辺部２１ａ、及び、前枠部３１１の周縁下辺部は、共に左右方向に沿って配される。また、このとき、延出シート群２０，２０，…及びＳＯＦ２７，２７，…は、遮光凸部３４，３４，…間に配される。即ち、延出シート群２０及びＳＯＦ２７と遮光凸部３４とが左右方向に交互に配される。各プリント基板２８は、その下面が突出枠部３１２の上面（即ち内面）側に向くようにして、左右方向に沿う横姿勢に配される。このとき、複数枚のプリント基板２８，２８，…は左右方向に並置される。
【００４５】
次に、図２、図３、及び図８を参照しつつ、ＬＥＤユニットの構成を説明する。ここでは、ＬＥＤ２５，２５，…、ＬＥＤ基板２６、ヒートシンク４２、及び絶縁シート４３のひとまとまりをＬＥＤユニットという。
ＬＥＤ基板２６は、非透光性を有し、横長の矩形板状になしてある。ＬＥＤ基板２６の一面には、ＬＥＤ基板２６の長手方向に並置された複数個のＬＥＤ２５，２５，…が実装されている。
ＬＥＤ２５，２５，…及びＬＥＤ基板２６は、本発明の実施の形態における光源及び基板として機能する。なお、ＬＥＤ２５，２５，…に替えて、電球、熱陰極蛍光灯、ＥＬ（Electro Luminescence）、又は冷陰極管等が備えられていてもよい。
【００４６】
絶縁シート４３は、横長の矩形シート状になしてあり、ポリカーボネートを用いてなる。
ヒートシンク４２は金属製であり、横長の棒状、且つ縦断面形状が倒立Ｌ字状になしてある。ヒートシンク４２の一側は、横姿勢に配された矩形板状の基板載置部４２１であり、ヒートシンク４２の他側は、縦姿勢に配された矩形板状の筐体取付部４２２である。なお、ヒートシンク４２は合成樹脂製でもよい。
基板載置部４２１には、ＬＥＤ基板２６が固定的に載置されている。このとき、基板載置部４２１の外面とＬＥＤ基板２６の他面（即ちＬＥＤ２５，２５，…が実装されていない面）とが接触しており、更に、基板載置部４２１及びＬＥＤ基板２６夫々の長手方向が互いに沿う。
【００４７】
基板載置部４２１の内面には、絶縁シート４３が、両面粘着テープ又は接着剤等を用いてなる接着層を介して、接着されている。このとき、基板載置部４２１及び絶縁シート４３夫々の長手方向が互いに沿う。
基板載置部４２１の前端部には、ヒートシンク４２の長手方向に並置された複数個の位置決め凸部４２３，４２３，…が突設されている。各位置決め凸部４２３の基板載置部４２１の前端部からの突出長さは、位置決め溝３５の深さ（即ち前後方向の長さ）よりも適宜に長い。また、各位置決め凸部４２３の厚み（即ち上下方向の長さ）は、位置決め溝３５の開口幅（即ち上下方向の長さ）よりも僅かに短い。
【００４８】
ＬＥＤユニットは、基板載置部４２１の外面、即ちＬＥＤ基板２６が載置されている面を上側に向け、基板載置部４２１の内面、即ち絶縁シート４３が接着されている面を下側に向け、更に、位置決め凸部４２３，４２３，…を前側に向けて、前キャビネット３１に後方から取り付けられる。
このとき、位置決め凸部４２３，４２３，…は、ＳＯＦ２７，２７，…間に配される。即ち、位置決め凸部４２３とＳＯＦ２７とが左右方向に交互に配される。この結果、各位置決め凸部４２３の左右方向の配置と各遮光凸部３４の左右方向の配置とは同一になる。
【００４９】
また、このとき、ヒートシンク４２の位置決め凸部４２３，４２３，…は、各位置決め凸部４２３の先端部が、前枠部３１１の位置決め溝３５の最奥部に当接するよう、位置決め溝３５へ挿入される。この結果、ヒートシンク４２は、上下方向及び前後方向に容易に位置決めされる。
【００５０】
ヒートシンク４２が正確に位置決めされた場合、ＬＥＤ２５，２５，…は、導光板２３の後述する下端面２３ｂに正確に対向配置される。また、ＬＥＤ基板２６の前端面は、延出シート群２０，２０，…の背面下端部に接触する。更に、絶縁シート４３は、ヒートシンク４２とプリント基板２８，２８，…との間に介在する。
【００５１】
仮に、絶縁シート４３が存在しない場合、例えば表示装置１０に外力が加えられてプリント基板２８が振動し、ヒートシンク４２と接触することによって、短絡が生じる虞がある。しかしながら、絶縁シート４３がプリント基板２８とヒートシンク４２とを電気的に絶縁するため、短絡の発生が抑制される。
位置決めされたヒートシンク４２は、後述するように前キャビネット３１にビス留めされる。
【００５２】
次に、各延出シート群２０の延出長さについて説明する。
各延出シート群２０の延出長さは、各延出シート群２０の背面の下端部が、ＬＥＤ基板２６の前側端部に接触するだけの長さである。つまり、延出シート群２０，２０，…は、光学シート群２２から、ＬＥＤ２５，２５，…よりも下側（即ちＬＥＤ基板２６側）まで延出している。
【００５３】
次に、図２及び図３を参照しつつ、バックライトの構成を説明する。
導光板２３は、矩形板状になしてあり、例えばアクリル樹脂を用いてなる。導光板２３の縦横の寸法は、表示パネル２１の縦横の寸法よりも大きい。
導光板２３は、導光板２３の少なくとも下端面２３ｂから導光板２３の内部に入射した光を、導光板２３の正面２３ａ及び背面から均一に出射する（即ち面発光する）。
下端面２３ｂは、本発明の実施の形態における一側端面として機能する。
【００５４】
反射シート２４は、導光板２３の背面に密着配置されている。反射シート２４の縦横の寸法は、導光板２３の縦横の寸法よりも大きい。このため、導光板２３の背面から出射した光は、確実に反射シート２４で反射し、再び導光板２３の内部に入射する。
【００５５】
ＬＥＤ２５，２５，…から放射された光は、直接的に、又は、反射シート２４及び遮光凸部３４等で反射することによって、導光板２３の下端面２３ｂから導光板２３の内部に入射する。導光板２３の内部に入射した光は、導光板２３の正面２３ａから出射される。正面２３ａから出射された光は、光学シート群２２による拡散及び集光等を経て、表示パネル２１の背面２１２から表示パネル２１の内部に入射する。表示パネル２１の内部に入射した光は、表示パネル２１の表示面２１１から出射される。この結果、表示パネル２１の表示面２１１が、均一に明るくなる。
【００５６】
バックライトシャーシ３６は、支持部３６１と取付部３６２とを有する。支持部３６１は矩形板状になしてある。支持部３６１には、支持部３６１の一面と反射シート２４の背面とを密着させて、導光板２３及び反射シート２４が取り付けられる。
【００５７】
バックライトシャーシ３６は、導光板２３の正面２３ａの中央部が光学シート群２２の背面に密着し、導光板２３の正面２３ａの下辺部が遮光凸部３４，３４，…の先端面に密着するように、導光板２３及び反射シート２４を縦姿勢に保持した状態で、前キャビネット３１に後方から取り付けられる。このとき、バックライトシャーシ３６の取付部３６２は、ヒートシンク４２の筐体取付部４２２と共に、ビスＢ，Ｂ，…を用いて前キャビネット３１に共締めされる。以上の結果、導光板２３及び反射シート２４は、遮光凸部３４，３４，…とバックライトシャーシ３６とに挟持される。
バックライトシャーシ３６の背後は、後キャビネット３２によって覆われる。
【００５８】
以上のようにして表示装置１０が組み立てられると、表示パネル２１の背面２１２におけるＬＥＤ２５，２５，…側の周縁部（即ち下辺部２１ａ）とＬＥＤ基板２６との間に、空間Ｓが形成される。ただし、本実施の形態の表示装置１０においては、遮光凸部３４，３４，…は、前キャビネット３１の前枠部３１１の内面から空間Ｓを貫いて導光板２３の正面２３ａの下辺部まで突出する。また、延出シート群２０，２０，…は、光学シート群２２から空間Ｓを貫いてＬＥＤ基板２６の前端面まで延出している。このため、空間Ｓは、遮光凸部３４，３４，…及び延出シート群２０，２０，…によって閉鎖されている。
【００５９】
次に、延出シート群２０，２０，…の作用効果を説明する。
図９及び図１０は、延出シート群２０，２０，…の作用効果を説明するための凸部突設位置及び凸部非突設位置の縦断面図である。図９及び図１０は図２及び図３に対応し、図９及び図１０に示す表示装置１０の構成は、延出シート群２０，２０，…を備えていない点を除けば、図２及び図３に示す表示装置１０の構成と同一である。
【００６０】
延出シート群２０，２０，…の有無に拘らず、図２及び図９に示すように、各遮光凸部３４の突設位置には、ＬＥＤ２５，２５，…側から表示パネル２１側へ光が通過し得る漏光空間が存在しない。何故ならば、遮光凸部３４，３４，…は、前キャビネット３１の前枠部３１１の内面から空間Ｓを貫いて導光板２３の正面２３ａの下辺部まで突出することによって、前枠部３１１の内面から正面２３ａの下辺部までの範囲を閉鎖しているからである。故に、ＬＥＤ２５，２５，…から放射された光は、直接的に、又は、反射シート２４及び遮光凸部３４等で反射することによって、導光板２３の下端面２３ｂから導光板２３の内部に入射する。このため、光漏れは生じない。
【００６１】
ところが、図１０に示すように、表示装置１０が延出シート群２０，２０，…を備えていない場合、各遮光凸部３４の非突設位置には、漏光空間が存在する。故に、ＬＥＤ２５，２５，…から放射された光の内、導光板２３の内部に入射しなかった光が、ＳＯＦ２７の背面及び導光板２３の正面２３ａ等で反射することによって、表示パネル２１の背面２１２の下辺部２１ａ（即ち背面２１２の光学シート群２２に覆われていない部分）又は表示パネル２１の下辺部端面から表示パネル２１の内部に無用に入射する。この結果、表示面２１１の下部における遮光凸部３４，３４，…の非突設位置に対応する部分が、この部分だけサーチライトで別途照明されたかように、他の部分よりも無用に明るくなる。従って、表示面２１１に表示される映像の画質が劣化する。
【００６２】
一方、図３に示すように、表示装置１０が延出シート群２０，２０，…を備えている場合、各遮光凸部３４の非突設位置には、延出シート群２０，２０，…によって閉鎖された漏光空間が存在する。故に、ＬＥＤ２５，２５，…から放射された光の内、導光板２３の内部に入射しなかった光が、延出シート群２０，２０，…を透過してから、表示パネル２１の内部に無用に入射する可能性はある。ただし、延出シート群２０，２０，…を透過してから表示パネル２１の内部に入射する光は、延出シート群２０，２０，…を透過しないで表示パネル２１の内部に入射する光に比べて、散乱又は減衰等を生じるため、弱い。また、延出シート群２０，２０，…が存在しなければ漏光空間を通過したはずの光が、延出シート群２０，２０，…にて反射する場合もある。
【００６３】
ところで、各延出シート群２０の背面下端部は、ＬＥＤ基板２６の前端面に接触している。故に、各延出シート群２０の下端部が、例えばＬＥＤ基板２６の上面に面一の位置に配されている場合に比べて、光が延出シート群２０を迂回することが抑制されている。
以上の結果、表示面２１１の下部における遮光凸部３４，３４，…の非突設位置に対応する部分において光漏れが生じたとしても、この部分の明るさは、他の部分の明るさと大差ない程度に抑えられる。従って、表示面２１１に表示される映像の画質が劣化することが抑制される。
【００６４】
延出シート群２０，２０，…及び光学シート群２２は、本発明の実施の形態における延出シート及び光学シートとして機能する。
以上のような表示装置１０においては、光漏れが抑制されるため、表示面２１１に表示される映像の画質が向上する。
また、延出シート群２０，２０，…は光学シート群２２に一体に設けられているため、光漏れを抑制するためだけに部品点数を増加させる必要がない。
【００６５】
更に、延出シート群２０，２０，…そのものを他部材（例えば表示パネル２１）に取り付ける必要がない。つまり、延出シート群２０，２０，…そのものの位置決め作業及び取り付け作業等が不要である。故に、延出シート群２０，２０，…の配置作業は容易である。更にまた、延出シート群２０，２０，…は、表示パネル２１又は導光板２３等と比べて薄型である上に、延出シート群２０，２０，…を他部材に接着するための接着層を形成する分のスペースが不要である。即ち、延出シート群２０，２０，…が表示装置１０（テレビジョン受信機１）の薄型化及び狭額縁化を阻害することはない。
【００６６】
更に、延出シート群２０，２０，…は、前キャビネット３１の周縁上辺部近傍にも備えられていてもよい。何故ならば、前キャビネット３１の周縁上辺部近傍にもＬＥＤ２５，２５，…及びＬＥＤ基板２６が配されている場合があるからである。
更にまた、延出シート群２０，２０，…は、前キャビネット３１の周縁左辺部近傍及び周縁右辺部近傍夫々にも備えられていてもよい。何故ならば、たとえ前キャビネット３１の周縁左辺部及び右辺部近傍にＬＥＤ２５，２５，…及びＬＥＤ基板２６が配されていない場合であっても、例えば導光板２３の下端面２３ｂ以外の端面から出射した光が前キャビネット３１の内部で反射することによって光漏れが生じ得るからである。
【００６７】
また、延出シート群２０，２０，…は遮光凸部３４，３４，…を避けて配置される。何故ならば、遮光凸部３４，３４，…によって閉鎖されている漏光空間に、延出シート群２０を配する必要はないからである。このため、遮光凸部３４，３４，…が存在しない場合よりも、延出シート群２０，２０，…の総面積は小さい。
しかも、遮光凸部３４，３４，…は、遮光機能の他、バックライトシャーシ３６との間で導光板２３及び反射シート２４を挟持する挟持機能も有する。つまり、遮光機能を有する部分と挟持機能を有する部分とを個別に前キャビネット３１に設けるよりも、前キャビネット３１の構成は簡易且つ軽量である。
【００６８】
実施の形態  ２．
図１１は、本発明の実施の形態２に係る表示装置１０が備える延出シート群２０，２０，…の構成を説明するための縦断面図である。図１１は、実施の形態１の図２及び図３に対応するが、図１１では、表示装置１０が備える表示パネル２１及びバックライトと延出シート群２０，２０，…と以外の図示が省略されている。
以下では、実施の形態１との差異について説明し、その他、実施の形態１に対応する部分には同一符号を付してそれらの説明を省略する。
【００６９】
本実施の形態における各延出シート群２０には、実施の形態１の各延出シート群２０とは異なり、遮光部２００が設けられている。
遮光部２００は、遮光性を有する塗料を各延出シート群２０の背面に塗布することによって、形成されている。遮光性を有する塗料とは、例えば、吸光性を有する黒色の塗料、又は、光反射性を有する白色の塗料等である。
なお、遮光部２００は、各延出シート群２０の正面に設けられていてもよい。また、遮光部２００は、塗料を用いてなるものに限定されない。例えば、遮光部２００は、各延出シート群２０に遮光性を有する薄片を貼付することによって、形成されてもよい。
【００７０】
各延出シート群２０の下端部は、ＬＥＤ基板２６の前端部上面に形成されている穴２６０に挿入されている。故に、各延出シート群２０の下端部が、例えばＬＥＤ基板２６の上面に位置している場合に比べて、光が延出シート群２０を迂回することが抑制されている。
なお、ＬＥＤ基板２６の前端部に、櫛歯状の凹凸が形成されていてもよい。この場合、延出シート群２０，２０，…の下端部は、櫛歯の凹部に挿通される。
【００７１】
ＬＥＤ２５，２５，…から放射された光が、延出シート群２０，２０，…を透過しようとしても、遮光部２００に入射して遮光される。このとき、光は遮光部２００に吸収されるか、又は、遮光部２００にて反射する。この結果、延出シート群２０，２０，…の背面側から正面側へ光が入射する虞がない。
つまり、実施の形態１では、延出シート群２０，２０，…によって弱められているとはいえ、表示パネル２１の内部に無用に入射する光が存在し得るが、実施の形態２では、表示パネル２１の内部に無用に入射する光が存在し得ない。従って、更に確実に光漏れを抑制することができる。
【００７２】
なお、表示装置１０は、光学シート群２２を構成しているＭ枚（ＭはＭ≧２の自然数）の光学シートの内、Ｎ枚（Ｎは１≦Ｎ＜Ｍの自然数）の光学シートから延出している延出シート又は延出シート群を備える構成でもよい。
ところで、実施の形態１，２では、表示装置１０が、受信部を備えるテレビジョン受信機１に適用されている場合を例示したが、これに限定されるものではない。本発明に係る表示装置は、受信部を備えていない電気機器、例えばパーソナルコンピュータ用のディスプレイに適用されてもよい。
【００７３】
今回開示された実施の形態は、全ての点で例示であって、制限的なものではないと考えられるべきである。本発明の範囲は、上述した意味ではなく、特許請求の範囲と均等の意味及び特許請求の範囲内での全ての変更が含まれることが意図される。
また、本発明の効果がある限りにおいて、テレビジョン受信機１又は表示装置１０に、実施の形態１，２に開示されていない構成要素が含まれていてもよい。
【符号の説明】
【００７４】
１      テレビジョン受信機
１０    表示装置
１１    受信部
２０    延出シート群（延出シート）
２００  遮光部
２１    表示パネル
２１１  表示面
２１ａ  下辺部（光源の側の周縁部）
２２    光学シート群（光学シート）
２３    導光板
２３ａ  正面
２３ｂ  下端面（一側端面）
２５    ＬＥＤ（光源）
２６    ＬＥＤ基板（基板）
３１    前キャビネット（キャビネット）
３４    遮光凸部
Ｓ      空間
【図１】
2013156370.tif 000003
【図２】
2013156370.tif 000004
【図３】
2013156370.tif 000005
【図４】
2013156370.tif 000006
【図５】
2013156370.tif 000007
【図６】
2013156370.tif 000008
【図７】
2013156370.tif 000009
【図８】
2013156370.tif 000010
【図９】
2013156370.tif 000011
【図１０】
2013156370.tif 000012
【図１１】
2013156370.tif 000013